(57)【特許請求の範囲】
【請求項１】
便器の排水口を挿入させる挿入口部を備えた排水ソケット部と該排水ソケット部から延び出す横引管部と該横引管部に連続し、床に埋設した排水配管に接続される接続部とを有する連結管装置を用いて、床面に設置される便器の前記排水口と該排水配管とを連結する構造であって、
前記排水ソケット部は、前記挿入口部と該挿入口部の下側に設けられた、前記横引管部の延び出す竪管部と該竪管部の下側に設けられた固定部とを有しており、該竪管部が該固定部に対して水平方向に回転可能とされていることを特徴とする便器の排水口と排水配管との連結構造。
【発明の詳細な説明】
【０００１】
【発明の属する技術分野】
この発明は便器の排水口と床に埋設した排水配管との連結構造に関し、詳しくは排水ソケット部と横引管部と排水配管に接続される接続部とを有する連結管装置を用いて便器の排水口と排水配管との連結を行うものに関する。
【０００２】
【従来の技術及び発明が解決しようとする課題】
便器の排水口と床に埋設した排水配管との連結構造として、排水口を挿入させる挿入口部を備えた排水ソケットを床に埋設した排水配管に接続状態で床に取付固定し、便器設置の際に排水口をその排水ソケットの挿入口部に対してジョイントパッキンを介して水密に挿入接続するようになしたものが従来公知である。
【０００３】
ところで便器が古くなってこれを新しいものと取り替える際、即ち既設の便器を新しいものにリフォームする際、新しい便器の排水口と床に埋設してある排水配管の位置とが合わないことがしばしば起り得る。
通常、排水配管の上端開口部即ち便器の排水口との連結端部は、トイレの後側の壁から３０５〜５４０ｍｍの位置に配置してあり、これに対して新しい便器を適正位置に設置したときに、その排水口の位置が排水配管に対して前，後にずれた位置に来てしまい、この状態で排水配管に合せて新しい便器を施工しようとすると便器がトイレルーム内に納まらなくなってしまうか、使用勝手が悪くなってしまう問題を生ずる。
【０００４】
この場合そのままでは新しい便器を設置することができず、そこでそれら便器の排水口と排水配管とを良好に連結するために床工事を行って排水配管を新たに配管施工しなければならなくなってしまう。
しかしながらこれは大変な工事であって、このことが実際上便器を新しいものと取り替えるのを困難とする要因となっていた。
【０００５】
そこで便器の排水口と排水ソケットとの接合方式として、これを便器の比較的後部側に配置する一方、その排水口を挿入させる挿入口部を備えた排水ソケット部と排水ソケット部から延び出した横引管部と横引管部に連続し、排水配管に接続される接続部とを有し且つその横引管部が排水ソケット部及び接続部に対して抜差し可能に嵌合状態に組み付けられる形態の連結管装置を用いて、便器の排水口と排水配管とを連結することが提案されている。
【０００６】
この連結構造の場合、連結管装置における横引管部を適当な長さに切断することによって排水ソケット部と接続部との間隔を調整することができ、従ってこの連結管装置を用いることにより便器の排水口の位置と排水配管の位置とに拘らずそれらを良好に連結状態とすることができる。
【０００７】
この連結管装置を用いた便器の排水口と排水配管との連結構造は、特にリフォームに際し利用して好適なものであるが、勿論新築の際にこの連結構造を利用することも可能である。
【０００８】
ところが新築に際してこの連結構造を適用したとき、たまたま便器の中心線上に根太等床構造物が位置しているとこれが障害となって排水配管を同個所に配管施工できず、その障害物を避けて便器中心線の右側又は左側に排水配管を施工せざるを得ないか、又は床構造物を便器中心線上から取り除く作業が発生していた。
即ち上記連結管装置を用いた従来の連結構造では便器中心線上に障害物があると対処ができず、便器の排水口と排水配管とを良好に連結できないといった問題があった。
【０００９】
【課題を解決するための手段】
本発明の便器の排水口と排水配管との連結構造はこのような課題を解決するために案出されたものである。
而して請求項１のものは、便器の排水口を挿入させる挿入口部を備えた排水ソケット部と該排水ソケット部から延び出す横引管部と該横引管部に連続し、床に埋設した排水配管に接続される接続部とを有する連結管装置を用いて、床面に設置される便器の前記排水口と該排水配管とを連結する構造であって、前記排水ソケット部は、前記挿入口部と該挿入口部の下側に設けられた、前記横引管部の延び出す竪管部と該竪管部の下側に設けられた固定部とを有しており、該竪管部が該固定部に対して水平方向に回転可能とされていることを特徴とする。
【００１０】
【作用及び発明の効果】
上記のように請求項１の連結構造は、排水ソケット部を、挿入口部とその下側の、上記横引管部の延び出す竪管部と竪管部の下側の固定部とを有するように構成して、その竪管部を固定部に対し水平方向に回転可能となしており、従ってこの連結構造によれば、竪管部の回転により接続部の位置を便器の中心線に対し右側又は左側に容易に変化させることができ、これによって便器の中心線に対し右側又は左側に位置している排水配管に対し便器の排水口を良好に連結状態とすることができる。
また排水ソケット部における固定部を床に固定した状態の下で、横引管部の回転により接続部の位置を右側又は左側に変化させることができる。
【００１１】
【実施例】
次に本発明の実施例を図面に基づいて詳しく説明する。
図１及び図２において、１０は便器で便鉢１２の下側に台座部１４を有し、その台座部１４の内側には空所１６が形成されている。
便器１０は排水トラップ部１８を有しており、更にこの排水トラップ部１８に続いて便器１０後部に下向きの排水口２０を有している。
一方床２２には排水配管２４が埋設されており、この排水配管２４の上端部と便器１０の排水口２０とが、連結管装置２６にて連結されている。
【００１２】
連結管装置２６は内部に排水通路２８を有しており、排水口２０から排出された汚水がこの排水通路２８を通じて排水配管２４へと導かれるようになっている。
連結管装置２６は、排水ソケット部３０とこれから横向き（前向き）に延び出した横引管部３２及び横引管部３２の端部に配置された接続部（同図では第二の接続部）３４Ａの３つの部材に分かれている。
【００１３】
排水ソケット部３０は、図３及び図４に詳しく示しているように便器１０の排水口２０よりも大径の円筒形状の挿入口部３６を上部に有しており、そこに排水口２０が下向きに挿入されている。
この排水口２０と挿入口部３６との間にはゴム等の弾性を有するジョイントパッキン３８が介在させてあり、それら排水口２０と挿入口部３６との間が水密にシールされている。
【００１４】
ここでジョイントパッキン３８は、外周部に筒形状の嵌込部４０を有しており、その嵌込部４０が挿入口部３６に設けられた環状溝４２内部に嵌め込まれて保持されている。
ジョイントパッキン３８は中心孔４４を有しており、そこに便器１０の排水口２０が挿通されている。
【００１５】
排水ソケット部３０は、上部の挿入口部３６に続いてその下側に竪の円筒形状の竪管部４６を一体に有しており、更にその竪管部４６の下側に、これとは別体をなす固定部４８が組み付けられている。
【００１６】
竪管部４６は下面が底部５０にて閉鎖されており、更にこの底部５０から円筒形状の差込部５２が下向きに突き出している。
一方固定部４８は、台部５４と環状の差込溝５６とを有しており、その台部５４にて竪管部４６の底部５０を回転可能に支持するとともに、環状の差込溝５６内部に竪管部４６の下向きの差込部５２を挿入させている。
【００１７】
固定部４８はまた、後方外向き（図４中左方向き）に延び出した平面略三角形状のフランジ部５８を有しており、そのフランジ部５８においてボルト６０及びナット６２により床２２に固定されている。
尚、便器１０の台座部１４には略水平な固定部６４が設けられており、その固定部６４が共通のボルト６０及びナット６６により固定部４８のフランジ部５８とともに床２２に固定されている。
尚、６８はボルト６０の上端部及びナット６６を隠蔽する化粧キャップである。
【００１８】
上記竪管部４６の上部にはフランジ部７０付きの内筒部材７２が装着されている。
この竪管部４６からは円筒形状の嵌合部７４が前方（図４中右方）に向けて横向きに突き出しており、その内面に排水ソケット部３０及び上記接続部３４Ａとは別体をなす横引管部３２の一端部が抜差し可能に嵌合されている。
【００１９】
一方上記接続部３４Ａは、図５に示しているように管状且つエルボ形状をなしている。
この接続部３４Ａは、横向き且つ後方に突き出した円筒形状の嵌合部７６を有しており、そこに横引管部３２の他端部が抜差し可能に嵌合されている。
【００２０】
この接続部３４Ａは、下部に外筒部７８と内筒部（嵌合筒部）８０とを有している。
外筒部７８には鍔部８２が一体に形成されており、その鍔部８２においてボルト８４により床２２に固定されている。
【００２１】
嵌合筒部としての内筒部８０の内周面は第一嵌合面８６とされており、そこにおいて塩ビ配管から成る排水配管２４に直接嵌合接続されるようになっている。
詳しくは、図８に示しているように第一嵌合面８６においてＶＵ７５の塩ビ配管から成る排水配管２４ａの外周面に嵌合状態に接続され、またＶＰ７５の塩ビ配管から成る排水配管２４ｂの外周面に嵌合状態に接続されるようになっている。
【００２２】
ここでＶＵ７５の塩ビ配管から成る排水配管２４ａとＶＰ７５の塩ビ配管から成る排水配管２４ｂは、外径が同一で肉厚即ち内径のみが異なっている。
【００２３】
一方図９に示しているようにＶＰ１００の塩ビ配管から成る排水配管２４ｃ及びＶＵ１００の塩ビ配管から成る排水配管２４ｄに対しては、外周側の第二嵌合面８８においてアダプタリング９０又は９２を介し、それらの内周面に嵌合状態に接続されるようになっている。
【００２４】
ここでＶＰ１００の塩ビ配管から成る排水配管２４ｃ及びＶＵ１００の塩ビ配管から成る排水配管２４ｄは、外径が同一で肉厚即ち内径のみが異なっている。
そこでここでは肉厚が厚く内径の小さいＶＰ１００の塩ビ配管から成る排水配管２４ｃに対しては、肉厚の薄いアダプタリング９０を介して第二嵌合面８８を嵌合させるようにし、また肉厚が薄く内径の大きいＶＵ１００の塩ビ配管から成る排水配管２４ｄに対しては、肉厚の厚い第二のアダプタリング９２を介してその内周面に嵌合させるようにしている。
尚外周側の第二嵌合面８８は、若干上向きに大径となるテーパ面とされている。
【００２５】
図５において、９４は固定ブロックであってボルト９６により床２２に固定され、更にこの固定ブロック９４に対し、便器１０の台座部１４がボルト９８により固定されている。即ち便器１０における台座部１４の前部が、固定ブロック９４を介して床２２に固定されている。
【００２６】
尚、図１０に示しているように排水ソケット部３０における竪管部４６と固定部４８とは、竪管部４６に一体に形成された突起１００と、固定部４８に形成された水平方向の円弧状の溝１０２との嵌合に基づいて互いに相対回転可能な状態で互いに抜止めされている。
【００２７】
図６及び図７は本例における便器１０の設置の際の手順を示している。
それらの図に示しているように、本例では横引管部３２を排水ソケット部３０と接続部３４Ａとに嵌合してそれらを仮組みし、そして排水ソケット部３０におけるフランジ部５８に設けた位置決リブ５９を壁Ｗに合せて固定ブロック９４を中心線Ｐ上に位置決めし、それら固定ブロック９４とフランジ部５８とを床２２に固定する。
【００２８】
このとき中心線Ｐ上に障害物がなく、排水配管２４が中心線Ｐ上に配管施工されているときには、そのまま接続部３４Ａを排水配管２４に接続した上で、後述するようにして便器１０の設置を行う。
また中心線Ｐ上に障害物があって排水配管２４が中心線Ｐに対し右側又は左側にずれた位置に配管施工されている場合には、後述の手順で横引管部３２の長さ及び向きを調整する。
【００２９】
さて連結管装置２６の固定を行ったところで、その後図７に示しているように連結管装置２６及び固定ブロック９４等が台座部１４の内側の空所１６内に収まるようにして便器１０を床２２の上に載せる。
このとき、ボルト６０が便器１０の台座部１４に設けられた固定部６４の取付孔１０４から上向きに突き出すようにして便器１０を床２２に載置する。
しかる後ナット６６をボルト６０にねじ込んで、台座部１４における固定部６４を床２２に固定状態とする。
また併せて便器１０の前部において固定ブロック９４に対しボルト９８をねじ込んで、台座部１４の前部を固定ブロック９４を介し床２２に固定状態とする。
【００３０】
さてこのようにして便器１０を床２２に設置し、また便器１０の排水口２０を床２２に埋設した排水配管２４に連結する際、床構造物等が障害となってその排水配管２４が図１１に示しているように便器１０の中心線Ｐに対して右側（便宜上図中中心線Ｐより上側とする）又は左側に配管されている場合、本例の連結構造では接続部３４Ａの位置を便器１０の中心線Ｐに対し右側又は左側に位置移動させて排水配管２４の位置に正しく合わせ、排水配管２４に接続するとともに、横引管部３２の長さ及びその向きを排水ソケット部３０における竪管部４６とともに調節する。そしてその後において上記の手順で便器１０の設置固定を行う。
これにより接続部３４Ａを、床２２に埋設した排水配管２４に対し支障なく接続状態とすることができる。
【００３１】
以上は排水配管２４が塩ビ配管から成る排水配管であって、連結管装置２６をそれら排水配管２４に対し接続部（第二の接続部）３４Ａを直接嵌合状態に接続する場合の例であるが、図１２及び図１３に示しているように、本例の連結構造は床２２に埋設した排水配管に対し床フランジ及び変形自在のシール部材を介して接続する際にも対応可能である。
【００３２】
これらの図において１０６はその床フランジであって、フランジ部１０８を有しており（図１３（Ｂ）参照）、そのフランジ部１０８がビス１１０により床２２に固定状態とされている。
更にまたこのフランジ部１０８に対し、接続部（第一の接続部）３４Ｂのフランジ部７９がボルト１１２により締結固定されている。
【００３３】
床フランジ１０６は、テーパ形状の接合部１１４を有しており、そこに鉛管等から成る排水配管１１６の上端部が密着状態に押し付けられている。
即ち排水配管１１６の上端部が押し広げられてテーパ状部１１８とされており、そのテーパ状部１１８が床フランジ１０６におけるテーパ形状の接合部１１４に密着状態に押し付けられている。
【００３４】
そしてその排水配管１１６におけるテーパ状部１１８ないし床フランジ１０６の接合部１１４に対し、接続部３４Ｂの接続口１２０が変形自在なシール部材（この例ではブチルゴム）１２２を介して下向きに押し付けられ、それら接続口１２０とテーパ状部１１８ないし接合部１１４がシール部材１２２を介し水密に接合されている。
【００３５】
この第一の接続部３４Ｂは、他の点については上記第二の接続部３４Ａと同様であり、それら第二の接続部３４Ａ又は第一の接続部３４Ｂの何れかを用いることによって、塩ビ配管から成る排水配管２４に対しても、即ち連結管装置２６を排水配管２４に対し直接嵌合状態で接続する場合にも、或いはまた図１２及び図１３に示しているように床フランジ１０６を介して連結管装置２６を排水配管１１６に接続するに際しても対応することが可能である。
【００３６】
以上のように本例の連結構造の場合、固定部４８を床面に固定した状態の下で横引管部３２を回転させることにより、接続部３４Ａ又は３４Ｂの位置を便器１０の中心線Ｐに対し右側又は左側に容易に変化させることができ、これによって便器１０の中心線Ｐに対し右側又は左側に位置している排水配管２４（１１６）に対しても便器１０の排水口２０を良好に連結状態とすることができる。
【００３７】
以上本発明の実施例を詳述したがこれはあくまで一例示である。
例えば上例では第二の接続部３４Ａと第一の接続部３４Ｂとの組替えを行うことにより同一の連結管装置２６にて接続方式の異なる排水配管２４，１１６に対し対応するようにしているが、第一の接続部３４Ｂが横引管部３２に一体に設けられた連結管装置又は第二の接続部３４Ａが横引管部３２に一体に設けられた連結管装置の何れか一方を選択して便器１０の排水口２０と排水配管２４（１１６）とを連結するようになすことも可能で、この場合においても接続方式の異なる２種類の排水配管２４，１１６に対し対応することが可能である。
【００３８】
更に上例では連結管装置２６における横引管部３２を排水ソケット部３０の固定部４８に対し回転可能とすることによって、接続部３４Ａ又は３４Ｂの位置を可変となすようにしているが、場合によって横引管部３２の全体若しくは一部を可撓管にて構成することにより、その可撓性を利用して接続部３４Ａ又は３４Ｂの位置を可変となすことも可能である。
【００３９】
また上例ではＶＵ７５の塩ビ配管から成る排水配管２４ａ及びＶＰ７５の塩ビ配管から成る排水配管２４ｂを、嵌合筒部としての内筒部８０の内周面の第一嵌合面８６に嵌合し、またＶＰ１００の塩ビ配管から成る排水配管２４ｃ及びＶＵ１００の塩ビ配管から成る排水配管２４ｄを内筒部８０の外周面の第二嵌合面８８に対しアダプタリング９０又は９２を介し嵌合状態に接続するようにしているが、場合によって内筒部８０を上例よりも大径に形成しておき、ＶＰ１００，ＶＵ１００の塩ビ配管から成る排水配管２４ｃ，２４ｄの外周面をその第一嵌合面８６に嵌合して接続するようになす一方、ＶＵ７５，ＶＰ７５の塩ビ配管から成る排水配管２４ａ，２４ｂに対しては、内筒部８０の第一嵌合面８６に上例とは径の異なるアダプタリングを嵌合し、そのアダプタリングの内周面にそれら排水配管２４ａ，２４ｂの外周面を嵌合することによって接続を行うといったことも可能であるなど、本発明はその主旨を逸脱しない範囲において種々変更を加えた形態で構成可能である。
【図面の簡単な説明】
【図１】  本発明の一実施例である連結構造を便器設置状態で一部切り欠いて示す正面図である。
【図２】  同じ実施例の連結構造を便器設置状態で示す平面断面図である。
【図３】  同じ実施例の連結管装置の構成を示す斜視図である。
【図４】  同じ実施例の連結構造の排水ソケット部とその周辺部を示す要部断面図である。
【図５】  同じ実施例の連結構造の接続部とその周辺部を示す要部断面図である。
【図６】  図３の連結管装置を各部材に分解して示す分解斜視図である。
【図７】  同じ実施例の連結構造を便器設置前の状態で示す正面断面図である。
【図８】  同じ実施例の接続部の作用説明図である。
【図９】  図８とは異なる排水配管を接続する場合の作用説明図である。
【図１０】  同じ実施例の連結管装置の作用説明図である。
【図１１】  同じ実施例の連結管装置の作用を便器との関係において表す作用説明図である。
【図１２】  同じ実施例の連結構造を別の接続部を組み付けた状態で示す図である。
【図１３】  図１２の接続部とその周辺部を拡大して示す断面図である。
【符号の説明】
１０  便器
２０  排水口
２２  床
２４，１１６  排水配管
２６  連結管装置
３０  排水ソケット部
３２  横引管部
３４Ａ  接続部（第二の接続部）
３４Ｂ  接続部（第一の接続部）
３６  挿入口部
４６  竪管部
４８  固定部
１０６  床フランジ
１２２  シール部材
Ｐ   中心線
【図１】
0003920490.tif 000002
【図２】
0003920490.tif 000003
【図３】
0003920490.tif 000004
【図４】
0003920490.tif 000005
【図５】
0003920490.tif 000006
【図６】
0003920490.tif 000007
【図７】
0003920490.tif 000008
【図８】
0003920490.tif 000009
【図９】
0003920490.tif 000010
【図１０】
0003920490.tif 000011
【図１１】
0003920490.tif 000012
【図１２】
0003920490.tif 000013
【図１３】
0003920490.tif 000014